(57)【要約】【課題】本発明はイベント案内代行システムに関し、代行する代行者をすばやく探すことができる効率のよいイベント案内代行システムを提供することを目的としている。【解決手段】イベントの掲示依頼又はイベントの代行依頼又はイベントの代行登録を行なう少なくとも１台のクライアント１と、該クライアント１と接続され、各種のイベント案内の代行を行なうイベント案内代行装置１０とで構成されるシステムにおいて、前記イベント案内代行装置１０内に、前記クライアント１からの依頼の内容に応じた案内画面を作成して前記クライアント１側に送信する案内画面作成手段２と、全体の動作を制御する制御手段３と、を設けて構成する。【選択図】      図１
2004234412.tif 000002
【特許請求の範囲】
【請求項１】
イベントの掲示依頼又はイベントの代行依頼又はイベントの代行登録を行なう少なくとも１台のクライアントと、
該クライアントと接続され、各種のイベント案内の代行を行なうイベント案内代行装置とで構成されるシステムにおいて、
前記イベント案内代行装置内に、
前記クライアントからの依頼の内容に応じた案内画面を作成して前記クライアント側に送信する案内画面作成手段と、
全体の動作を制御する制御手段と、を設けたことを特徴とするイベント案内代行システム。
【請求項２】
前記制御手段は、
前記クライアントからの依頼を受け付ける依頼受付手段と、
受け付けた依頼を処理する依頼処理手段と、
精算処理を行なう精算処理手段と、
処理に対する回答をクライアントに対して送信する処理回答手段と、を含むことを特徴とする請求項１記載のイベント案内代行システム。
【請求項３】
前記クライアントは、
イベントの掲示依頼を行なう登録クライアントと、
イベントの代行依頼を行なう代行依頼クライアントと、
イベントの代行を行なうことを登録する代行登録クライアントと、を含むことを特徴とする請求項２記載のイベント案内代行システム。
【請求項４】
前記依頼受付手段で掲示依頼を受け付けると、イベント案内の登録を行ない、前記精算処理手段がイベント案内代行装置に登録されているイベント案内登録依頼者の契約口座より精算を行なうことを特徴とする請求項３記載のイベント案内代行システム。
【請求項５】
前記依頼受付手段で代行依頼を受け付けると、前記精算処理手段が依頼者のイベント案内代行装置に登録されている契約口座より精算することを特徴とする請求項２記載のイベント案内代行システム。
【請求項６】
前記案内画面作成手段の作成画面では、代行者情報として、少なくとも氏名、所属の会社名とその中の部署、代行依頼の受付期限を表示してクライアントに代行者の選択を行なわせることを特徴とする請求項２記載のイベント案内代行システム。
【請求項７】
前記依頼受付手段が代行依頼を受け付けた時、前記処理回答手段は、受け付けたことを電子メールで代行依頼者に送信することを特徴とする請求項３記載のイベント案内代行システム。
【請求項８】
前記案内画面作成手段は、代行作業として、熨斗袋の選択を可能にすることを特徴とする請求項１記載のイベント案内代行システム。
【請求項９】
前記代行作業として、熨斗袋の書き方として、書体、表書き、裏書きの指定を可能とすることを特徴とする請求項８記載のイベント案内代行システム。
【請求項１０】
前記イベント案内代行装置は、代行者が代行依頼を受け付けたことを確認入力する手段を有することを特徴とする請求項２記載のイベント案内代行システム。
【請求項１１】
前記処理回答手段は、受け付けたことを確認入力された時、その代行依頼者に確認されたことを電子メールで送信することを特徴とする請求項１０記載のイベント案内代行システム。
【請求項１２】
前記イベント案内代行装置は、入金者確認画面で一定期間内にチェックされない入金者がいる場合、該当の代行者の指定アドレスへ確認の電子メールを送信することを特徴とする請求項１１記載のイベント案内代行システム。
【発明の詳細な説明】
【０００１】
【発明の属する技術分野】
本発明はイベント案内代行システムに関する。更に詳しくは、冠婚葬祭等のイベント時に開催概要を効率的に案内すると共に、関係者が出席できない場合に、代わって香典、お祝い、お見舞い等の受け渡しをする手段を提供するイベント案内代行システムに関する。
【０００２】
【従来の技術】
冠婚葬祭のようなイベントの案内は、Ｗｅｂ（ウェブ）により開催日時、場所、開催内容を表示している。この情報を参照してイベントに参加しようとする人は、イベントに参加する場合は、この情報でほぼ足りるが、参加できない人が香典等を代わりに供える場合、現状は参加加入する人を探し出して託すか又は直接郵送等を行なっている。
【０００３】
従来のこの種のシステムとしては、ネットワークに接続された利用者側端末とオペレータ側端末間でＷｅｂフォームを共有して、利用者が前記Ｗｅｂフォームに入力すべき情報の少なくとも一部の情報をオペレータが入力すると共に、利用者並びにオペレータが入力した情報の正否を相互に確認する入力支援を行なう入力代行システムが知られている（例えば特許文献１参照）。
【０００４】
【特許文献１】
特開２００２−１０９１４７号公報（第３頁、４頁、図１）
【０００５】
【発明が解決しようとする課題】
前述した従来の技術では、イベントに参加できない人が代行者を探して代行を依頼したり、或いは現金を直接郵送したりしている。このように、代行者を探したり、代行者に託す等は手間がかかり面倒である。
【０００６】
本発明はこのような課題に鑑みてなされたものであって、代行する代行者をすばやく探すことができる効率のよいイベント案内代行システムを提供することを目的としている。
【０００７】
【課題を解決するための手段】
（１）請求項１記載の発明は、以下の通りである。図１は本発明の原理ブロック図である。図において、１はイベントの掲示依頼又はイベントの代行依頼又はイベントの代行登録を行なう少なくとも１台のクライアント、１０は該クライアント１と接続され、各種のイベント案内の代行を行なうイベント案内代行装置である。イベント案内代行装置１０において、２は前記クライアント１からの依頼の内容に応じた案内画面を作成して前記クライアント１側に送信する案内画面作成手段、３は全体の動作を制御する制御手段である。
【０００８】
このように構成すれば、案内画面作成手段２が、クライアント１側にイベント入力画面を送信して、クライアント１側から所定の情報を入力することにより、イベント案内の代行者をすばやく探して代行依頼が行なえるので、効率のよいイベント案内代行システムを提供することができる。
（２）請求項２記載の発明は、前記制御手段３は、前記クライアント１からの依頼を受け付ける依頼受付手段と、受け付けた依頼を処理する依頼処理手段と、精算処理を行なう精算処理手段と、処理に対する回答をクライアントに対して送信する処理回答手段と、を含むことを特徴とする。
【０００９】
このように構成すれば、依頼受付手段と、依頼処理手段と、精算処理手段と、処理回答手段とを設けることにより、代行案内処理を速やかに行なうことができる。
（３）請求項３記載の発明は、前記クライアント１は、イベントの掲示依頼を行なう登録クライアントと、イベントの代行依頼を行なう代行依頼クライアントと、イベントの代行を行なうことを登録する代行登録クライアントと、を含むことを特徴とする。
【００１０】
このように構成すれば、依頼の内容に応じたクライアントを用いて、イベント案内代行装置１０に対して各種の依頼を行なうことができる。
（４）請求項４記載の発明は、前記依頼受付手段で掲示依頼を受け付けると、イベント案内の登録を行ない、前記精算処理手段がイベント案内代行装置に登録されているイベント案内登録依頼者の契約口座より精算を行なうことを特徴とする。
【００１１】
このように構成すれば、前記登録クライアントにより行なった依頼を受け付けると、イベント案内登録依頼者の契約口座より所定の費用を引き出すことで、精算を行なうことができる。
（５）請求項５記載の発明は、前記依頼受付手段で代行依頼を受け付けると、前記精算処理手段が依頼者のイベント案内代行装置に登録されている契約口座より精算することを特徴とする。
【００１２】
このように構成すれば、代行依頼クライアントから代行依頼を受け付けると、代行依頼者の口座より所定の費用を引き出すことで、精算を行なうことができる。
（６）請求項６記載の発明は、前記案内画面作成手段の作成画面では、代行者情報として、少なくとも氏名、所属の会社名とその中の部署、代行依頼の受付期限を表示してクライアントに代行者の選択を行なわせることを特徴とする。
【００１３】
このように構成すれば、代行者に関する詳細情報を代行依頼クライアント側の画面に表示させることで、代行依頼者はその人に代行を任せることができるか否かを判断することができる。
（７）請求項７記載の発明は、前記依頼受付手段が代行依頼を受け付けた時、前記処理回答手段は、受け付けたことを電子メールで代行依頼者に送信することを特徴とする。
【００１４】
このように構成すれば、代行依頼を受け付けたことを代行依頼者に電子メールで送信することで、代行依頼が受け付けられたことを認識することができる。
（８）請求項８記載の発明は、前記案内画面作成手段は、代行作業として、熨斗袋の選択を可能にすることを特徴とする。
【００１５】
このように構成すれば、どのような熨斗袋を用いればよいかを代行者が知ることができる。
（９）請求項９記載の発明は、前記代行作業として、熨斗袋の書き方として、書体、表書き、裏書きの指定を可能とすることを特徴とする。
【００１６】
このように構成すれば、熨斗袋への書き方の指令を行なうことができる。
（１０）請求項１０記載の発明は、前記イベント案内代行装置は、依頼を受け付けたことを確認入力する手段を有することを特徴とする。
【００１７】
このように構成すれば、代行依頼を受け付けたことを認識することができる。（１１）請求項１１記載の発明は、前記処理回答手段は、受け付けたことを確認入力された時、その代行依頼者に確認されたことを電子メールで送信することを特徴とする。
【００１８】
このように構成すれば、代行依頼者は代行依頼が受け付けられたことを認識することができる。
（１２）請求項１２記載の発明は、前記イベント案内代行装置は、入金者確認画面で一定期間内にチェックされない入金者がいる場合、該当の代行者の指定アドレスへ確認の電子メールを送信することを特徴とする。
【００１９】
このように構成すれば、代行者に入金のチェックを促すことができ、依頼者は代行者が入金を受け取ったことを確認することができ、安心することができる。
【００２０】
【発明の実施の形態】
以下、図面を参照して本発明の実施の形態例を詳細に説明する。
【００２１】
図２は本発明の一実施の形態例を示すブロック図である。図１と同一のものは、同一の符号を付して示す。図において、１Ａはイベントの掲示依頼を行なう登録クライアント、１Ｂはイベントの代行依頼を行なう代行依頼クライアント、１Ｃはイベントの代行を行なうことを登録する代行登録クライアントである。このように各依頼の内容に応じたクライアントを設けることにより、イベント案内代行装置に対して各種の依頼を行なうことができる。なお、前述した機能を１台のクライアントに具備させることもできる。
【００２２】
４は各クライアント１Ａ〜１Ｃと、イベント案内代行装置１０との間に設けられたネットワークである。該ネットワーク４としては、例えばインターネットを用いることができる。登録クライアント１Ａは、イベント案内代行装置１０に対して指示依頼を行ない、受付回答を受ける。代行依頼クライアント１Ｂは、イベント案内代行装置１０に対して掲示参照と代行依頼を行ない、代行回答を受ける。代行登録クライアント１Ｃはイベント案内代行装置１０に対して代行登録依頼を行ない、代行登録と代行回答を受ける。
【００２３】
イベント案内代行装置１０において、２は案内画面作成手段、３は制御手段である。案内画面作成手段２は、イベント案内登録依頼画面作成手段２Ａと、代行依頼画面作成手段２Ｂと、代行者登録依頼画面作成手段２Ｃとで作成されている。イベント案内登録依頼画面作成手段２Ａで作成された画面情報は登録クライアント１Ａに送信され、代行依頼画面作成手段２Ｂで作成された画面情報は代行依頼クライアント１Ｂに送信され、代行者登録依頼画面作成手段２Ｃで作成された画面情報は代行登録クライアント１Ｃに送信され、それぞれ表示される。各クライアントは、表示された画面を見ながら必要な情報を入力することになる。
【００２４】
制御手段３において、３Ａは前記クライアントからの依頼を受け付ける依頼受付手段、３Ｂは受け付けた依頼を処理する依頼処理手段、３Ｃは代行に対する精算を行なう精算処理手段、３Ｄは処理に対する回答をクライアントに対して送信する処理回答手段である。制御手段３の中にこのような手段を設けることにより、代行案内処理を速やかに行なうことができる。
【００２５】
また、図２に示すようにシステムを構成すれば、案内画面作成手段２が、クライアント１側にイベント入力画面を送信して、クライアント１側から所定の情報を入力することにより、イベント案内の代行者をすばやく探して代行依頼が行なえるので、効率のよいイベント案内代行システムを提供することができる。
【００２６】
図３はイベント案内代行システムの動作の一例を示す図であり、ウェブ（Ｗｅｂ）画面を示している。ここでは、イベントとして葬式の場合を例にとって説明する。図２と同一のものは、同一の符号を付して示す。１０Ａはイベント案内画面である。先ず、イベント業者、代表者等のクライアントは登録クライアント１Ａから、イベント案内代行装置１０に対して掲示依頼を行なう（▲１▼）。
【００２７】
図４はイベント掲示依頼の画面例を示す図である。この画面は、イベント案内代行装置１０側の案内画面作成手段２により作成され、クライアント側に送信され、クライアント側の画面に表示されるようになっている。案内画面は、図に示すように、故人名と、略歴と、通夜予定時刻と、通夜の場所と、住所と、告別式の予定時刻と、告別式が行われる場所と、その住所と、喪主と、電子メールアドレスが入力されるようになっている。ここで、登録クライアント１Ａの支払のための引落とし口座は、予めイベント案内代行装置１０側に登録されているものとする。
【００２８】
登録クライアント１Ａから、図４に示すような情報を入力し、「入力確定」ボタンをクリックすると、入力依頼が確定し、イベント案内代行装置１０の依頼受付手段３Ａで受け付けられる。依頼処理手段３Ｂは依頼を受けると、精算手段３Ｃを起動する。精算手段３Ｃは、記憶手段に登録されている当該登録クライアントの口座から掲示代金を自動引き落としする。そして、代金の自動引き落としが終了すると、案内画面作成手段２は図３の１０Ａに示すような代行者登録、代行者指定が行なえる画面を編集してイベント案内画面を作成し、ネットワーク４を介して各クライアント１Ａ〜１Ｃに送信する。このように、本発明によれば、依頼受付手段３Ａで前記登録クライアント１Ａにより行なった依頼を受け付けると、イベント案内登録依頼者の契約口座より所定の費用を引き出すことで、精算を行なうことができる。
【００２９】
この場合に、画面の作成は、イベント案内登録依頼画面作成手段２Ａと、代行依頼画面作成手段２Ｂと、代行者登録依頼画面作成手段２Ｃにより行なわれる。
この結果、各クライアント１Ａ〜１Ｃの画面にも同じ画面が表示される。
【００３０】
一方、葬儀の参加者で代行可能な人（例えば故人の会社の関係者）は、代行登録クライアント１Ｃから代行者の登録を行なう（▲２▼）。先ず、図３に示す画面で代行者登録を指定する。図３に示す例では、山下一郎さんが代行登録を行なう場合を示している。図５は代行者登録画面例を示す図であり、Ｗｅｂ画面を示している。この画面は、代行者登録が指定されたら代行者登録依頼画面作成手段２Ｃにより作成され、ネットワーク４を介して代行登録クライアント１Ｃに送信され、表示される。
【００３１】
図５に示す代行者登録画面では、代行者の氏名（山下一郎）と、会社名と、参加する式典名（通夜か告別式か）と、代行受付期限と、指定口座と、口座番号が入力できるようになっている。これらの情報を入力したら、代行者は代行登録クライアント１Ｃから、「入力確定」ボタンをクリックする。これにより、確定した代行者情報がネットワーク４を介してイベント案内代行装置１０側に送信され、記憶手段（図示せず）に記憶されることになる。
【００３２】
代行依頼者は、代行依頼クライアント１Ｂから図３に示す案内画面を開き、香典代行依頼と香典代行者選択行なう（▲３▼）。この場合において、画面では、少なくとも代行者の氏名、所属の会社名とその中の部署、代行依頼の受付期限を表示して依頼者（クライアント）に代行者の選択を行なわせるようにすることができる。このようにすれば、代行者に関する詳細情報を代行依頼クライアント１Ｂ側の画面に表示させることで、代行依頼者はその人に代行を任せることができるか否かを判断することができる。
【００３３】
代行依頼者（ここでは北山  修さん）の契約口座は予めイベント案内代行装置１０の記憶手段（図示せず）に記憶されているものとする。代行依頼者からの代行依頼を受けると、代行依頼画面作成手段２Ｂは代行依頼画面を作成してネットワーク４を介して代行依頼クライアント１Ｂの画面に表示する。
【００３４】
図６は代行依頼画面例を示す図であり、Ｗｅｂ画面を示している。図に示すように、依頼者の氏名（北山  修）、住所、故人との関係、香典金額（３０００円）、添付リスト、電子メールアドレス等が入力されるようになっている。ここで、依頼者が所定の入力を行ない、「入力確定」のボタンをクリックすれば、入力された内容が決定する。決定された内容は、ネットワーク４を介してイベント案内代行装置１０側に送信される。
【００３５】
イベント案内代行装置１０では、代行依頼を依頼受付手段３Ａで受信すると、依頼処理手段３Ｂが精算手段３Ｃを起動し、イベント案内代行装置１０に登録されている代行依頼者の指定口座から所定の費用を引き落とす。これによれば、前記精算手段３Ｃにより所定の費用を引き出すことで、精算を行なうことができる。
【００３６】
依頼者の口座から所定の費用が引き落とされたら、処理回答手段３Ｄは、代行依頼者の代行依頼クライアント１Ｂに対して受領の電子メールを送信する（▲４▼）。そのメールの内容は、例えば「北山様  故○○○○氏へのご香典につき、確かにお預かりいたしました。」というものである。これによれば、代行依頼を受け付けたことを代行依頼者に電子メールで送信することで、代行依頼が受け付けられたことを認識することができる。なお、この場合、電子メールの代わりに代行依頼クライアント１Ｂの画面に直接表示させるようにしてもよい。
【００３７】
その後、イベント案内代行装置１０は、代行登録クライアント１Ｃに代行内容のメール送信と、代行者の契約口座に代行依頼の香典の振り込みを行なう。
【００３８】
代行者は、代行依頼メールの内容を確認する（▲５▼）。その内容は、例えば「山下様  故○○○○氏へのこ香典代行がＡＡＡＡ会社業務部の北山氏から依頼されました。ご香典料３０００円は指定口座に振り込みました。代行をよろしくお願いいたします。」というものである。
【００３９】
そして、その代行依頼を受け付けたら、その旨を代行登録クライアント１Ｃからイベント案内代行装置１０に送信する。該イベント案内代行装置１０側では、この代行依頼が代行者により受け付けられたことを認識することができる。
【００４０】
そして、この場合において、処理回答手段３Ｄは、代行依頼クライアント１Ｂ側に対して代行者から代行依頼が受け付けられたことを電子メールで送信する。この結果、代行依頼者は代行依頼が受け付けられたことを認識することができる。
【００４１】
代行者は、代行依頼メールから指定口座の入金を確認し、イベント（ここでは葬儀）に参加し、代行する（▲６▼）。
【００４２】
また、本発明では、前記案内画面作成手段２は、前記代行作業として、熨斗袋の選択が行なえるようにすることができる。このようにすれば、どのような熨斗袋を用いればよいかを代行者が知ることができる。
【００４３】
また、本発明によれば、前記代行作業として、熨斗袋の書き方として、書体、表書き、裏書きの指定を行なうことができる。図７は代筆の指定画面例を示す図である。この画面は、代行依頼クライアント１Ｂの画面に表示される。先ず、熨斗袋の指定部分があり、次に書体の指定部分があり、次に表書きの指定部分があり、次に裏書きの指定部分がある。
【００４４】
図では、４種類の熨斗袋の例を示したが、これに限るものではない。各熨斗袋の下にはチェック欄が設けられており、依頼者はこのチェック欄でどの熨斗袋を使用するかを指定する。書体については、楷書、明朝、毛筆楷書等の指定を行なうことができる。表書きの上欄には、香典をどのように記載するかのチェック欄がある。例えば、御香料、御香典、御霊前等の中から依頼者が指定する。また、裏書きには、金額を記載するかしないか等を指定する。必要に応じて、内袋にも文字の記載を行なうか否か等を指定する。
【００４５】
入力された内容は、イベント案内代行装置１０に送信され、依頼受付手段３Ａで受け付けられた後、記憶手段に記憶される。そして、代行者に代行依頼メールを送信する時に、前記した熨斗袋の選択画面、書体の指定画面等を表示し、代行者に知らせる。代行者は、指定された内容に従って、所定の熨斗袋を用意し、指定された内容の書体に従って、文字を記入する。このようにして作成された熨斗袋は、代行者により葬儀場に持参されることになる。
【００４６】
このように、本発明によれば、熨斗袋への描き方の指令を行なうことができる。
【００４７】
図８はイベント案内代行システムの動作の他の例を示す図である。図３と同一のものは、同一の符号を付して示す。図３の場合と同じく、依頼者が北山  修さん、代行者が山下一郎さんの場合について説明する。▲６▼のシーケンスまでは、図３に示すものと同じであるので、その説明は省略する。
【００４８】
代行依頼を受けた代行者は、入金確認後、図８に示す入金者確認画面を参照して入金確認のチェックを入力する（▲７▼）。入金者確認画面には、入金者一覧の氏名と香典額が表示されている。代行者は、「北山  修」と記載されたチェック欄をチェックする。この結果、入金者が確認されることになる。
【００４９】
入金が確認されたら、イベント案内代行装置１０は、依頼者が予め指定したメールアドレスへ確認チェックメールを送信する（▲８▼）。この確認チェックメールの内容は、例えば「北山様  山下様にご依頼のご香典は、山下様が受け取ったことが確認されました。」というものである。
【００５０】
このようにすれば、代行者に入金のチェックを促すことができ、依頼者は代行者が入金を受け取ったことを確認することができ、安心することができる。
【００５１】
上述の実施の形態例では、葬儀に適用する場合を例にとって説明したが、本発明はこれに限るものではなく、結婚式等の他のイベントについても同様に適用することができる。
【００５２】
【発明の効果】
以上説明したように、本発明によれば、以下の効果が得られる。
【００５３】
（１）請求項１記載の発明によれば、案内画面作成手段が、クライアント側にイベント入力画面を送信して、クライアント側から所定の情報を入力することにより、イベント案内の代行者をすばやく探して代行依頼が行なえるので、効率のよいイベント案内代行システムを提供することができる。
【００５４】
（２）請求項２記載の発明によれば、依頼受付手段と、依頼処理手段と、精算処理手段と、処理回答手段とを設けることにより、代行案内処理を速やかに行なうことができる。
【００５５】
（３）請求項３記載の発明によれば、依頼の内容に応じたクライアントを用いて、イベント案内代行装置に対して各種の依頼を行なうことができる。
【００５６】
（４）請求項４記載の発明によれば、前記登録クライアントにより行なった依頼を受け付けると、イベント案内登録依頼者の契約口座より所定の費用を引き出すことで、精算を行なうことができる。
【００５７】
（５）請求項５記載の発明によれば、代行依頼クライアントから代行依頼を受け付けると、代行依頼者の口座より所定の費用を引き出すことで、精算を行なうことができる。
【００５８】
（６）請求項６記載の発明によれば、代行者に関する詳細情報を代行依頼クライアント側の画面に表示させることで、代行依頼者はその人に代行を任せることができるか否かを判断することができる。
【００５９】
（７）請求項７記載の発明によれば、代行依頼を受け付けたことを代行依頼者に電子メールで送信することで、代行依頼が受け付けられたことを認識することができる。
【００６０】
（８）請求項８記載の発明によれば、どのような熨斗袋を用いればよいかを代行者が知ることができる。
【００６１】
（９）請求項９記載の発明によれば、熨斗袋への書き方の指令を行なうことができる。
【００６２】
（１０）請求項１０記載の発明によれば、代行依頼を受け付けたことを認識することができる。
【００６３】
（１１）請求項１１記載の発明によれば、代行依頼者は代行依頼が受け付けられたことを認識することができる。
【００６４】
（１２）請求項１２記載の発明によれば、代行者に入金のチェックを促すことができ、依頼者は代行者が入金を受け取ったことを確認することができ、安心することができる。
【００６５】
このように、本発明によれば、代行する代行者をすばやく探すことができる効率のよいイベント案内代行システムを提供することができる。
【図面の簡単な説明】
【図１】本発明の原理ブロック図である。
【図２】本発明の一実施の形態例を示すブロック図である。
【図３】イベント案内代行システムの動作の一例を示す図である。
【図４】イベント掲示依頼の画面例を示す図である。
【図５】代行者登録画面例を示す図である。
【図６】代行依頼画面例を示す図である。
【図７】代筆の指定画面例を示す図である。
【図８】イベント案内代行システムの動作の他の例を示す図である。
【符号の説明】
１  クライアント
２  案内画面作成手段
３  制御手段
１０  イベント案内代行装置
【図１】
2004234412.tif 000003
【図２】
2004234412.tif 000004
【図３】
2004234412.tif 000005
【図４】
2004234412.tif 000006
【図５】
2004234412.tif 000007
【図６】
2004234412.tif 000008
【図７】
2004234412.tif 000009
【図８】
2004234412.tif 000010